(57)【要約】【課題】プレストレストコンクリート梁を低コストで解体できるプレストレストコンクリート梁の解体方法を提供すること。【解決手段】プレストレストコンクリート梁の解体方法は、鉄筋コンクリート造の梁躯体２０と、この梁躯体２０の内部に設けられたＰＣ鋼線２１と、を備え、ＰＣ鋼線２１の両端が梁躯体２０の両端側に定着されたプレストレストコンクリート梁１０を解体する。ＰＣ鋼線２１の定着箇所を覆う蓋部材４３を設けるとともに、プレストレストコンクリート梁１０を下から支持する仮設柱３０を設ける工程と、このプレストレストコンクリート梁１０を中間位置ＡではつってＰＣ鋼線２１の一部を露出させ、この露出したＰＣ鋼線２１を切断する工程と、を備える。【選択図】図１
2014020072.tif 000002
【特許請求の範囲】
【請求項１】
鉄筋コンクリート造の梁躯体と、当該梁躯体の内部に設けられた緊張材と、を備え、当該緊張材の両端が前記梁躯体の両端側に定着されたプレストレストコンクリート梁の解体方法であって、
前記緊張材の定着箇所を覆う蓋部材を設けるとともに、前記プレストレストコンクリート梁を下から支持する仮設柱を設ける工程と、
当該プレストレストコンクリート梁の長さ方向の特定の位置をはつって前記緊張材の一部を露出させ、当該露出した緊張材を切断する工程と、を備えることを特徴とするプレストレストコンクリート梁の解体方法。
【請求項２】
前記蓋部材を開閉可能に設けることを特徴とする請求項１に記載のプレストレストコンクリート梁の解体方法。
【請求項３】
前記緊張材を切断する前に、前記蓋部材から所定距離離れてかつ当該蓋部材を覆う防護部材を設けておくことを特徴とする請求項１または２に記載のプレストレストコンクリート梁の解体方法。
【請求項４】
鉄筋コンクリート造の梁躯体と、当該梁躯体の内部に設けられた緊張材と、を備え、当該緊張材により前記梁躯体に緊張力が導入されたプレストレストコンクリート梁の解体方法であって、
前記プレストレストコンクリート梁を下から支持する仮設柱を設ける工程と、
当該プレストレストコンクリート梁の長さ方向の特定の位置をはつって前記緊張材の一部を露出させ、当該露出した緊張材を切断する工程と、を備えることを特徴とするプレストレストコンクリート梁の解体方法。
【発明の詳細な説明】
【技術分野】
【０００１】
本発明は、プレストレストコンクリート梁の解体方法に関する。例えば、既存建物に設けられたプレストレストコンクリート梁の解体方法に関する。
【背景技術】
【０００２】
従来より、柱間の距離（スパン）を大きくして大空間を構築するため、プレストレストコンクリート梁（以下、ＰＣ梁と呼ぶ）が設けられる。
例えば、ポストテンション方式のＰＣ梁では、梁躯体の内部のシース管にＰＣ鋼線を通して、このＰＣ鋼線に緊張力を導入し、この状態でＰＣ鋼線の両端を梁の両端に定着させるとともに、シース管内に無収縮モルタル（グラウト）を充填して、梁躯体に予め圧縮力を導入する。これにより、梁の重量を増大させることなく、梁の曲げ耐力を増大できるので、大スパンを実現できる。
【０００３】
ところで、建物の老朽化や建替えなどの事情により、ＰＣ梁が設けられた建物を解体する場合がある。この場合、ＰＣ梁を解体する必要があるが、このＰＣ梁のＰＣ鋼線には緊張力が導入されているため、ＰＣ鋼線をそのまま切断すると、ＰＣ鋼線に導入されていた緊張力が一気に解放されて、ＰＣ鋼線端部や定着金物が外部方向に飛び出すおそれがあった。
【０００４】
また、経年変化により、ＰＣ鋼線の切断箇所の近傍において、ＰＣ鋼線とグラウトとの間にクラックが生じている場合がある。この場合、ＰＣ鋼線を切断すると、ＰＣ鋼線が切断箇所から勢いよく外部方向に飛び出すおそれがあった。そのうえ、このようなクラックの発生箇所や大きさを予め把握することは困難であり、その結果、ＰＣ鋼線がどの程度飛び出すのか推定することはできなかった。
【０００５】
そこで、緊張力解放装置を用いて、ＰＣ鋼線に導入した緊張力を徐々に解放することが提案されている（特許文献１参照）。
すなわち、この緊張力解放装置は、２つの鋼ブロックと、これら２つの鋼ブロックの連結用孔に挿通されたＰＣ鋼棒と、ＰＣ鋼棒に沿って鋼ブロックを移動させるセンターホールジャッキと、を備える。
まず、ＰＣ鋼線に緊張力解放装置をセットし、第１の鋼ブロックおよび第２の鋼ブロックにより、ＰＣ鋼線の２箇所を保持する。
【０００６】
次に、センターホールジャッキを駆動して、鋼ブロック同士を接近させる。すると、ＰＣ鋼線の緊張力を鋼ブロックおよびセンターホールジャッキが負担して、鋼ブロック間のＰＣ鋼線の緊張力が低下する。
次に、鋼ブロック間のＰＣ鋼線を切断し。その後、センターホールジャッキを駆動して、鋼ブロック同士を徐々に引き離すことで、ＰＣ鋼線に導入された緊張力を徐々に解放する。
【先行技術文献】
【特許文献】
【０００７】
【特許文献１】特開２０１１−１９０６１６号公報
【発明の概要】
【発明が解決しようとする課題】
【０００８】
しかしながら、ＰＣ鋼線が全長に亘ってＰＣ梁の内部に設けられている場合には、緊張力解放装置をＰＣ鋼線に取り付けるために、はつり作業などによりＰＣ鋼線を所定長さに亘って完全に露出させる必要があった。よって、大がかりな工事が必要となり、施工コストが増大する、という問題があった。
【０００９】
本発明は、プレストレストコンクリート梁の梁躯体の内部に緊張材が全長に亘って設けられている場合に、このプレストレストコンクリート梁を低コストで解体できるプレストレストコンクリート梁の解体方法を提供することを目的とする。
【課題を解決するための手段】
【００１０】
請求項１に記載のプレストレストコンクリート梁の解体方法は、鉄筋コンクリート造の梁躯体（例えば、後述の梁躯体２０）と、当該梁躯体の内部に設けられた緊張材（例えば、後述のＰＣ鋼線２１）と、を備え、当該緊張材の両端が前記梁躯体の両端側に定着されたプレストレストコンクリート梁（例えば、後述のプレストレストコンクリート梁１０）の解体方法であって、前記緊張材の定着箇所を覆う蓋部材（例えば、後述の蓋部材４３）を設けるとともに、前記プレストレストコンクリート梁を下から支持する仮設柱（例えば、後述の仮設柱３０）を設ける工程と、当該プレストレストコンクリート梁の長さ方向の特定の位置（例えば、後述の中間位置Ａ）をはつって前記緊張材の一部を露出させ、当該露出した緊張材を切断する工程と、を備えることを特徴とする。
【００１１】
この発明によれば、例えば、ポストテンション方式のプレストレストコンクリート梁について、緊張材の定着箇所を覆う蓋部材を設けた。よって、緊張材を切断すると、この緊張材に導入されていた緊張力が一気に解放されて、緊張材の端部が定着箇所から外に向かって飛び出して、蓋部材に衝突する。このように緊張材が蓋部材に衝突することで、緊張材の勢いを大幅に低減できる。
したがって、緊張材を切断しても、この緊張材の端部が建物の外に大きく飛び出すのを防止できるので、ＰＣ梁を安全に回収できる。
【００１２】
また、緊張材を切断すると、ＰＣ梁にかかっていた圧縮力が一気に解放されるので、このＰＣ梁は、上階の荷重により下方に撓んで崩壊するおそれがある。そこで、このＰＣ梁を下から支持する仮設柱を設けたので、ＰＣ梁の崩壊を防止できる。
このように、蓋部材および仮設柱を設けるだけでよいので、ＰＣ梁を簡易な方法で解体でき、低コストとなる。
【００１３】
請求項２に記載のプレストレストコンクリート梁の解体方法は、前記蓋部材を開閉可能に設けることを特徴とする。
【００１４】
緊張材が蓋部材に衝突した後、跳ね返って足場材などの仮設材を損傷するおそれがある。
しかしながら、この発明によれば、蓋部材を開閉可能に設けた。よって、緊張材を切断すると、緊張材の端部が蓋部材に衝突し、この緊張材の衝撃により、蓋部材が押されて開く方向に回転する。したがって、蓋部材が回転することにより緊張材の勢いを吸収して、緊張材が蓋部材に衝突して跳ね返るのを防止できるから、足場材などの仮設材を損傷するのを防止できる。
【００１５】
請求項３に記載のプレストレストコンクリート梁の解体方法は、前記緊張材を切断する前に、前記蓋部材から所定距離離れてかつ当該蓋部材を覆う防護部材（例えば、後述の防護パネル４２）を設けておくことを特徴とする。
【００１６】
この発明によれば、蓋部材を覆う防護部材を設けたので、仮に、緊張材が蓋部材に衝突したにもかかわらず、勢いがそれほど低減しないで蓋部材よりも外に飛び出しても、この飛び出した緊張材は防護部材に衝突して止まるので、緊張材をより安全に回収できる。
【００１７】
請求項４に記載のプレストレストコンクリート梁の解体方法は、鉄筋コンクリート造の梁躯体と、当該梁躯体の内部に設けられた緊張材と、を備え、当該緊張材により前記梁躯体に緊張力が導入されたプレストレストコンクリート梁の解体方法であって、前記プレストレストコンクリート梁を下から支持する仮設柱を設ける工程と、当該プレストレストコンクリート梁の長さ方向の特定の位置をはつって前記緊張材の一部を露出させ、当該露出した緊張材を切断する工程と、を備えることを特徴とする。
【００１８】
この発明によれば、プレテンション方式のプレストレストコンクリート梁についても、請求項１と同様の効果がある。
【発明の効果】
【００１９】
本発明によれば、緊張材の定着箇所を覆う蓋部材を開閉可能に設けた。よって、緊張材を切断すると、この緊張材に導入されていた緊張力が一気に解放されて、緊張材の端部が定着箇所から外に向かって飛び出して、蓋部材に衝突する。この蓋部材は、緊張材が衝突した衝撃で押されて、開く方向に回転する。一方、緊張材は、蓋部材に衝突したことで勢いが大幅に低減される。したがって、緊張材を切断しても、この緊張材の端部が建物の外に大きく飛び出すのを防止できるので、ＰＣ梁を安全に回収できる。また、緊張材を切断すると、ＰＣ梁にかかっていた圧縮力が一気に解放されるので、このＰＣ梁は、上階の荷重により下方に撓んで崩壊するおそれがある。そこで、このＰＣ梁を下から支持する仮設柱を設けたので、ＰＣ梁の崩壊を防止できる。このように、蓋部材および仮設柱を設けるだけでよいので、ＰＣ梁を簡易な方法で解体でき、低コストとなる。
【図面の簡単な説明】
【００２０】
【図１】本発明の一実施形態に係るＰＣ梁の解体方法を用いて解体される既存建物の断面図である。    の    図である。
【図２】前記実施形態に係る既存建物の解体する手順のフローチャートである。
【図３】前記実施形態に係る既存建物の解体する手順を説明するための図である。
【発明を実施するための形態】
【００２１】
以下、本発明の一実施形態について、図面を参照しながら説明する。
図１は、本発明の一実施形態に係るＰＣ梁の解体方法を用いて解体される既存建物１の断面図である。
この既存建物１は、４階建てである。この既存建物１の２階床梁、３階床梁、４階床梁、Ｒ階（屋上階）床梁は、それぞれ、ポストテンション方式のプレストレストコンクリート梁（ＰＣ梁）１０である。
このうち、３階床、４階床、Ｒ階床のＰＣ梁１０は、両端で既存建物の外周柱１１に支持されており、これにより、２階、３階、４階は、大スパンの無柱空間となっている。
一方、２階床のＰＣ梁１０は、両端で外周柱１１に支持されるとともに、略中央で中間柱１２に支持されている。
【００２２】
各ＰＣ梁１０は、鉄筋コンクリート造の梁躯体２０と、この梁躯体２０の内部に設けられた緊張材としての３本のＰＣ鋼線２１と、を備える。これらＰＣ鋼線２１の両端は、梁躯体の両端に定着金物２２で定着されており、この定着金物２２は、既存建物１の外壁面２に露出している。
【００２３】
以下、この既存建物１を解体する手順について、図２のフローチャートを参照しながら説明する。
ステップＳ１では、図３にも示すように、既存建物１の周囲に外部足場４０を架設する。この外部足場４０は、枠組足場４１と、この枠組足場４１の外側に取り付けられた防護部材としてのアルミ製の防護パネル４２と、を備える。この防護パネル４２は、解体材の飛散防止と解体時の騒音の音漏れ防止のために設けられている。
【００２４】
ステップＳ２では、既存建物１の各フロアに、ＰＣ梁１０を下から支持する仮設柱３０を２箇所に設置する。この仮設柱３０は、上下のフロアで同じ位置に設置して、上階の仮設柱３０の荷重を下階の仮設柱３０で支持するようにする。
【００２５】
ステップＳ３では、既存建物１の外壁面２に露出した定着金物２２のそれぞれについて、図３に示すように、コンパネなどの板材を蓋部材４３として用いて、この蓋部材４３を、定着金物２２を覆うように外部足場４０に取り付ける。つまり、既存建物１の外壁面２は、梁躯体２０の両端部に相当しており、板状の蓋部材４３は、ＰＣ梁１０の梁軸方向と略直交していることになる。
具体的には、単管パイプ４４を枠組足場４１に略水平に取り付けて、この単管パイプ４４に蓋部材４３を番線で結束する。これにより、蓋部材４３は、枠組足場４１に開閉可能に取り付けられる。
また、定着金物２２に対向する防護パネル４２は、蓋部材４３から所定距離離れてかつこの蓋部材４３を覆うことになる。
【００２６】
ステップＳ４では、ＰＣ梁１０を長さ方向の中間位置ＡではつってＰＣ鋼線２１を露出させ、この露出したＰＣ鋼線２１を切断する。すると、ＰＣ鋼線２１に導入されていた緊張力が一気に解放されて、ＰＣ鋼線２１の端部および定着金物２２が定着箇所から外に向かって飛び出して、蓋部材４３に衝突する。この蓋部材４３は、ＰＣ鋼線２１に衝突した衝撃で押されて、開く方向（つまり図３中矢印で示す方向）に回転する。一方、ＰＣ鋼線２１は、蓋部材４３に衝突したことで勢いが大幅に低減される。
【００２７】
ステップＳ５では、既存建物１をＲ階から下階に向かって順に解体する。
【００２８】
本実施形態によれば、以下のような効果がある。
（１）ＰＣ鋼線２１の定着箇所を覆う蓋部材４３を設けたので、ＰＣ鋼線２１を切断すると、定着箇所から飛び出したＰＣ鋼線２１の端部および定着金物２２は、蓋部材４３に衝突して勢いが大幅に低減される。したがって、ＰＣ鋼線２１を切断しても、このＰＣ鋼線２１の端部が既存建物１の外に大きく飛び出すのを防止できるので、ＰＣ梁１０を安全に回収できる。
【００２９】
また、ＰＣ鋼線２１を切断すると、ＰＣ梁１０にかかっていた圧縮力が一気に解放されるので、このＰＣ梁１０は、上階の荷重により下方に撓んで、崩壊するおそれがある。そこで、このＰＣ梁１０を下から支持する仮設柱３０を設けたので、ＰＣ梁１０の崩壊を防止できる。
このように、蓋部材４３および仮設柱３０を設けるだけでよいので、ＰＣ梁１０を簡易な方法で解体でき、低コストとなる。
【００３０】
（２）蓋部材４３を開閉可能に設けた。よって、ＰＣ鋼線２１を切断すると、ＰＣ鋼線２１の端部および定着金物２２が蓋部材４３に衝突し、このＰＣ鋼線２１の衝撃により、蓋部材４３が押されて開く方向に回転する。したがって、蓋部材４３が回転することによりＰＣ鋼線２１の勢いを吸収して、ＰＣ鋼線２１が蓋部材４３に衝突して跳ね返るのを防止できるから、足場材などの仮設材を損傷するのを防止できる。
【００３１】
（３）蓋部材４３を覆う防護パネル４２を設けたので、仮に、ＰＣ鋼線２１が蓋部材４３に衝突したにもかかわらず、勢いがそれほど低減しないで蓋部材４３よりも外に飛び出しても、この飛び出したＰＣ鋼線２１は防護パネル４２に衝突して止まるので、ＰＣ鋼線２１をより安全に回収できる。
【００３２】
なお、本発明は前記実施形態に限定されるものではなく、本発明の目的を達成できる範囲での変形、改良等は本発明に含まれるものである。
例えば、上述の実施形態では、既存建物１の外部に枠組足場４１を設け、この枠組足場４１に蓋部材４３および防護パネル４２を設けたが、これに限らず、既存建物１の内部に、枠組足場、蓋部材、防護パネルを設けて、ＰＣ梁１０を解体してもよい。
【００３３】
また、本実施形態では、本発明をポストテンション方式のプレストレストコンクリート梁１０に適用したが、これに限らず、プレテンション方式のプレストレストコンクリート梁にも適用できる。
【符号の説明】
【００３４】
Ａ…中間位置
１…既存建物
２…外壁面
１０…ＰＣ梁
１１…外周柱
１２…中間柱
２０…梁躯体
２１…ＰＣ鋼線（緊張材）
２２…定着金物
３０…仮設柱
４０…外部足場
４１…枠組足場
４２…防護パネル（防護部材）
４３…蓋部材
４４…単管パイプ
【図１】
2014020072.tif 000003
【図２】
2014020072.tif 000004
【図３】
2014020072.tif 000005